(57)【要約】【課題】      すぐに餌を取り出せる内容器を有する釣り用餌箱を提供することである。【解決手段】  釣り用餌箱１は、上方に開口２ｂを有し、内部に収納部２ａを有する容器の餌箱本体２と上記開口２ｂを開閉可能に閉塞する蓋体４を有し、収納部２ａに、上方に開口５ｃを有し餌の収納部５ｇを有する内容器５が収納され、内容器５は餌箱本体２に軸６で回動可能に取り付けられ、軸６の対向側の側面部と底部５ａは開口５ｃから底部５ａ側に向かって徐々に傾斜が緩くなる一連の傾斜面Ｋ１を形成している。【選択図】        図１
2006094716.tif 000002
【特許請求の範囲】
【請求項１】
上方に開口を有し、前記開口を開閉する蓋体を回動可能に取り付けた餌箱本体の内側に、上方に開口を有し側面部に傾斜面が形成された内容器を設けたことを特徴とする釣り用餌箱。
【請求項２】
内容器はその底面部に、側面部の傾斜面に連続する傾斜面が形成されていることを特徴とする請求項１記載の釣り用餌箱。
【請求項３】
内容器は、餌箱本体に回動可能に取り付けられていることを特徴とする請求項１または２記載の釣り用餌箱。
【請求項４】
開いた状態の蓋体に、回動した内容器の開口側が向かい合うことを特徴とする請求項３記載の釣り用餌箱。
【発明の詳細な説明】
【技術分野】
【０００１】
本発明は、魚釣りに用いる釣り用餌箱の改良に関する。
【背景技術】
【０００２】
魚釣りを行う時は釣り用餌箱に必要な餌を入れて持ち歩くことが多い。
これら餌箱の中には内容器を有し、餌箱本体の他に内容器に餌を収納可能とし複数の餌を収納できるようにした餌箱がある。
【０００３】
特許文献１の公報には餌箱本体の内側に内容器を収納した餌箱が記載されている。
この餌箱本体側に氷を収納し、内容器に生き餌を収納できるようになっている。
ところが、この内容器は側面が垂直に形成されており、収納した生き餌が逃げ出しにくいが、容器本体より深さを浅くしたにもかかわらずすぐに餌を取り出すことは困難である。
また、餌箱本体側に餌を収納した時は内容器を取り出さなければならないが、この場合は、餌取り出しの間取り外した内容器を保持していなければならなかった。
【特許文献１】実開昭４９−１１４１９２号公報
【発明の開示】
【発明が解決しようとする課題】
【０００４】
解決しようとする課題は、餌箱本体の内側に収納した内容器からすぐに餌を取り出しにくくなっていることである。
【０００５】
本発明の目的は前記欠点に鑑み、すぐに餌を取り出せる内容器を有する釣り用餌箱を提供することである。
【課題を解決するための手段】
【０００６】
上記課題を解決するために、
請求項１に係わる本発明は、上方に開口を有し、前記開口を開閉する蓋体を回動可能に取り付けた餌箱本体の内側に、上方に開口を有し側面部に傾斜面が形成された内容器を設けたことを要旨とするものである。
請求項２に係わる本発明は、内容器はその底面部に、側面部の傾斜面に連続する傾斜面が形成されていることを要旨とするものである。
請求項３に係わる本発明は、内容器は、餌箱本体に回動可能に取り付けられていることを要旨とするものである。
請求項４に係わる本発明は、開いた状態の蓋体に、回動した内容器の開口側が向かい合うことを要旨とするものである。
【発明の効果】
【０００７】
請求項１の本発明により、内容器には側面部に傾斜面が形成されているため収納した餌が傾斜面に沿って取り出しやすい。
【０００８】
請求項２の本発明により、内容器はその底面部に、側面部の傾斜面に連続する傾斜面が形成されているため、底面部から餌を傾斜面に沿って引き上げることが出来るため更に餌が取り出しやすくなる。
【０００９】
請求項３の本発明により、内容器は、餌箱本体に回動可能に取り付けられているため、内容器を餌箱本体から分離せずに餌箱本体内から移動させて餌箱本体内の餌を取り出すことができる。
【００１０】
請求項４の本発明により、開いた状態の蓋体に、回動した内容器の開口側が向かい合うことで内容器に収納した餌を蓋体上に容易に移し替えることができる。
【発明を実施するための最良の形態】
【００１１】
以下、本発明の実施形態を図面に基づき説明すると、図１から図４は本発明の釣り用餌箱で、図１は釣り用餌箱の一部を拡大した側面断面図、図２は釣り用餌箱の平面図、図３は釣り用餌箱の蓋体を開いた側面断面図、図４は釣り用餌箱の蓋体に内容器を伏せた状態の一部を拡大した側面断面図である。
【００１２】
図１の釣り用餌箱１は、図２のＡ−Ａにおける断面図で、上方に開口２ｂを有し、内部に収納部２ａを有する容器の餌箱本体２と上記開口２ｂを開閉可能に閉塞する蓋体４を有している。
餌箱本体２と蓋体４は合成樹脂等で形成されており、餌箱本体２は後方側に係止具３を有しており、係止具３の溝３ａを身体に装着したベルトや服のポケットやベストの合わせ部等に係止して釣り用餌箱１を携帯できるようになっている。
【００１３】
餌箱本体２の開口２ｂを開閉可能に閉塞する蓋体４は、その回動部を形成する突起部４ｆが餌箱本体２の開口縁部２ｄに設けた回動部を形成する突起部２ｈに軸６で回動可能に支持されており、軸６を中心に回動して開閉される。
開口２ｂを閉塞した時は蓋体４の周縁部が餌箱本体２の開口縁部２ｄに沿って当接し、開閉操作部４ｄが係止孔２ｇに差し込まれて開閉操作部４ｄの係合突起４ｃが係止孔２ｇに係合して閉塞状態が維持される。
【００１４】
蓋体４の閉塞時はその周縁部の周壁４ｅが当接した開口縁部２ｄの内側に開口縁部２ｄに沿って土手状の壁部２ｃが上方に向けて突設されるため餌箱本体２の内側部２ａに溜まった水の流出を防止し、蓋体４を閉じた時に餌箱本体２の開口２ｄに対し位置がずれないようになっている。
【００１５】
また、餌箱本体２内部の収納部２ａに上方に開口５ｃを有し、餌の収納部５ｇを有する内容器５が収納されている。
内容器５は開口５ｃに回動部を形成する突起部５ｆを有しており軸６が挿通されて餌箱本体２の開口縁部２ｄに設けた回動部を形成する突起部２ｈに回動可能に支持されている。
【００１６】
また、内容器５の開口５ｃは、餌箱本体２の開口縁部２ｄに設けた段部２ｆに係止されてその底部５ａと餌箱本体２の底部との間に間隙が形成され餌箱本体２の収納部２ａに餌を収納する空間が形成されている。
内容器５の開口５ｃは、係止凸部５ｅを有し、餌箱本体２の収納部２ａに収納した時はこの係止凸部５ｅが餌箱本体２の開口縁部２ｄに設けた係合凹部２ｅと係合し内容器５が餌箱本体２に保持されるようになっている。
【００１７】
内容器５は、その収納部５ｇ側の面（内側面）において側面部５ｄのうち軸６側の側面部の傾斜面Ｋ１より軸６の対向側の側面部５ｄの方が緩やかな傾斜面Ｋ２で収納部５ｇ側に落ち込み底部５ａに連なっており、底部５ａには更に軸６側の側面部に向けて下方へ向かう傾斜面Ｋ１を延長して形成している。
軸６の対向側の側面部と底部５ａは開口５ｃから底部５ａ側に向かって徐々に傾斜が緩くなる一連の傾斜面Ｋ２を形成して、対向側の側面５ｄ（傾斜面Ｋ１）の下端側に達している。
従って、底部５ａの最も低い位置は軸６ａ側の側面５ｄ側（傾斜面Ｋ１側）にずれて形成される。
【００１８】
内容器５の底部５ａは、水抜き孔５ｄが形成され、内容器５の収納部５ｇ内の水を水抜き孔５ｄを通じて餌箱本体２の収納部２ａに流して餌箱本体２の収納部２ａに溜めることができるようになっている。
水抜き孔５ｄは傾斜した底部５ａに複数個設けられているため底部５ａに水が残りにくい。
なお、収納部２ａに溜まった水は、内容器５の開口５ｃが餌箱本体２の開口縁部２ｄに係止されているため餌箱本体２の外側にこぼれにくくなっている。
【００１９】
このように形成された釣り用餌箱１を使用する時は、図３のように蓋体４を開いて内容器５への餌の出し入れを行う。
蓋体４は餌箱本体２の係止具３と対向する開口縁部２ｄに設けた軸６にて回動するため係止具３と反対側に開き蓋体４が身体に当たり開きにくくなって開口２ｃを遮ることを防止する。
内容器５へ収納した餌は水抜き孔５ｄを通じて水が切られているため内容器５への張り付きが防止され取り出しやすい。
【００２０】
餌は、底部５ａから軸６の対向側の側面部の傾斜面Ｋ２に沿って指でなでるようにして開口５ｃ近傍まで引き上げて摘み上げることができる。
この時、内容器５の内面が滑面状に形成され、開口５ｃから底部５ａ側に向かって徐々に傾斜が緩くなるため、これに沿って餌を引きずり上げると開口５ｃ近傍で傾斜が急になって指腹に餌を載せて摘みやすくなる。
【００２１】
上記傾斜面Ｋ２は係止具３側に形成されているため、釣り用餌箱１を身体に装着した時、餌を傾斜面Ｋ２に沿って手前側に寄せながら引き上げることが出来るため餌が指腹に載りやすく餌の取り出しが容易になる。
【００２２】
また、餌箱本体２から餌を取り出したり、中に溜まった水を捨てる時は内容器５の係止凸部５ｅと餌箱本体２の開口縁部２ｄに設けた係合凹部２ｅと係合を解除し、内容器５を軸６にて回動し、反転させて餌箱本体２の収納部２ａの外に移動させる。
内容器５の係止凸部５ｅと餌箱本体２の開口縁部２ｄの係合凹部２ｅの係合は餌箱本体２を外側から手で押圧し歪ませることで解除することができる。
【００２３】
さらに、内容器５を回動すると開いた状態の蓋体４の内側部４ａに内容器５の開口５ｃ側が対向するようにして伏せた状態で重なるため、内容器５の収納部５ｇに収納した餌を蓋体４の内側部４ａにこぼし落とすことができる。
この蓋体４は周辺に内側部４ａ側に突出するスカート状の周壁４ｅを有しているため、蓋体４を開いて反転させた時は周壁４ｅが上を向いてトレー状になり蓋体４の内側部４ａにこぼし落とした餌が蓋体４から脱落することを防止する。
【００２４】
これによって、蓋体４に移した餌の内から状態の良いものを選び出す作業が容易になり、また、餌箱本体２から餌を取り出したり、中に溜まった水を捨てる時に一時餌を蓋体４の内側部４ａで受けておいて作業が終わった後で軸６を中心に回動すれば再び餌を内容器５に戻すことができる。
なお、この時、蓋体４はその一部が餌箱本体２と当接し内側部４ａが上を向いた状態に保持されるが、蓋体４が上を向く適当位置で蓋体４を手で支えていてもよい。
【００２５】
また、内容器５を使用しないで餌箱本体２に収納した餌を使用する時は、蓋体４の内側部４ａに内容器５の開口５ｃ側が対向するように重ねて内容器５の開口５ｃから外側に向けて突出する係止凸部５ｅが蓋体４の内側部４ａに形成した係合凹部４ｄと係合し、内容器５を蓋体４の内側部４ａで保持する。
この状態で内容器５は、蓋体４にその開口５ｃを閉塞されたまま蓋体４と共に回動し、蓋体４を開くと共に餌箱本体２から外側に除くことができるため、餌箱２から容易に餌を取り出せる。
【００２６】
なお、餌箱本体２と蓋体４と内容器６は共に軸６にて回動可能に形成したが、別々の手段にて回動するようにしてもよい。
また、軸６を用いない他の手段で回動するように枢着してもよい。
傾斜面Ｋ１を形成せず、例えば、これを垂直状の面にしてもよい。
【産業上の利用可能性】
【００２７】
本願は、釣り用餌箱に利用できる。
【図面の簡単な説明】
【００２８】
【図１】図１は釣り用餌箱の一部を拡大した側面断面図である。
【図２】図２は釣り用餌箱の平面図である。
【図３】図３は釣り用餌箱の蓋体を開いた側面断面図である。
【図４】図４は釣り用餌箱の蓋体に内容器を伏せた状態の一部を拡大した側面断面図である。
【符号の説明】
【００２９】
１  釣り用餌箱
２  餌箱本体
３  係止具
４  蓋体
５  内容器
６  軸
Ｋ１、Ｋ２  傾斜面
【図１】
2006094716.tif 000003
【図２】
2006094716.tif 000004
【図３】
2006094716.tif 000005
【図４】
2006094716.tif 000006